(57)【要約】【課題】良好なコントラスト及び高い解像度を発揮でき、色抜けや混色のない表示品位のより高い遮光層付き光学シート及びカラーフィルタを提供する。【解決手段】遮光層付き光学シート２０は、光学基板２１と、この光学基材２１上に所定間隔で転写された遮光層１３Ｃとを備えている。遮光層１３Ｃは、ライン状に形成されストライプ部１３ｃａと、このストライプ部１３ｃａの片側に所定間隔で形成された突状部１３ｃｂとからなる。突状部１３ｃｂは略矩形であって、その角部は、曲率半径の異なる曲面部分からなる曲面１３ｃｂ１，１３ｃｂ２を有する。【選択図】図３
2005173219.tif 000002
【特許請求の範囲】
【請求項１】
透明又は半透明の光学基材と、
前記光学基材上に形成された遮光層とを備え、
前記遮光層は、ライン状に形成されたストライプ部と、前記ストライプ部の片側に所定間隔で形成された突状部とからなり、
前記突状部を前記光学基材上に投影した平面形状は、曲面を有すること、
を特徴とする遮光層付き光学シート。
【請求項２】
請求項１に記載の遮光層付き光学シートにおいて、
前記突状部を前記光学基材上に投影した平面形状は、略矩形であって、その角部が曲面であること、
を特徴とする遮光層付き光学シート。
【請求項３】
請求項１又は請求項２に記載の遮光層付き光学シートにおいて、
前記曲面は、曲率半径の異なる曲面部分からなること、
を特徴とする遮光層付き光学シート。
【請求項４】
請求項１から請求項３までのいずれか１項に記載の遮光層付き光学シートと、
前記遮光層付き光学シート上に形成された濡れ性変化層と、
前記濡れ性変化層上に形成された複数色の画素部と、
を備えたカラーフィルタ。
【発明の詳細な説明】
【技術分野】
【０００１】
本発明は、レーザー光熱転写法などにより転写される遮光層付き光学シート及びそれを用いたカラーフィルタに関するものである。
【背景技術】
【０００２】
特許文献１は、フッ素系撥水・撥油剤を含有する遮光層（ブラックマトリックス）の間隙に、カラーパターンを印刷する方法として、特定の表面張力を有するインクを用いてインクジェット記録方式で印刷を行うことを開示している。
【０００３】
特許文献２は、レーザー光熱転写法を使用したカラーフィルタ要素の作製方法であって、レーザー光による熱転写を利用して、フッ素系界面活性剤を含有した黒色ドナーシートから着色剤をカラーフィルタ要素の基板上に転写して、所望のパターンでブラックマトリックス（遮光層）を形成することを開示している。
【０００４】
一方、特許文献３は、所望の光学基板（ここでは、ＴＦＴが設けられたＴＦＴ基板に対向する対向基板）上に、ストライプ状の遮光層を形成することを開示している。
【０００５】
【特許文献１】特開平６−３４７６３７号公報
【特許文献２】米国特許第５，５２１，０３５号
【特許文献３】特開平９−２５８２６８号公報（第６図）
【発明の開示】
【発明が解決しようとする課題】
【０００６】
本件出願人は、遮光層をレーザー光熱転写法で形成し、その遮光層の間にインクジェット記録方式で複数色の画素部を形成するカラーフィルタを開発しようとしている。
ところが、上述した従来の技術では、レーザー光熱転写法によって形成されたブラックマトリックス（遮光層）間に、複数色の画素部を形成する場合に、これらの複数色を示すインクが、遮光層の間を上手く流れず、例えば、いわゆる白抜け等の欠損が生じてしまうことが想定された。
さらに、遮光層上にインクが吐出された場合には、インクが遮光層間に落下し難く、隣り合った画素部にインクが流れ込み、混色が発生してしまうことが想定された。
その結果、このカラーフィルタを用いた液晶表示装置を、観察した場合に、各画素部の示す複数色（例えば、ＲＧＢ）の鮮明度が低下して、映像のコントラストが低下する、という問題があった。
【０００７】
本発明の課題は、良好なコントラスト及び高い解像度を発揮でき、色抜けや混色のない表示品位のより高い遮光層付き光学シート及びカラーフィルタを提供することである。
【課題を解決するための手段】
【０００８】
本発明は、以下のような解決手段により、前記課題を解決する。なお、理解を容易にするために、本発明の実施例に対応する符号を付して説明するが、これに限定されるものではない。
請求項１の発明は、透明又は半透明の光学基材（２１）と、前記光学基材上に形成された遮光層（１３Ｃ）とを備え、前記遮光層は、ライン状に形成されたストライプ部（１３ｃａ）と、前記ストライプ部の片側に所定間隔で形成された突状部（１３ｃｂ）とからなり、前記突状部を前記光学基材上に投影した平面形状は、曲面（１３ｃｂ１，１３ｃｂ２）を有すること、を特徴とする遮光層付き光学シートである。
【０００９】
請求項２の発明は、請求項１に記載の遮光層付き光学シートにおいて、前記突状部を前記光学基材上に投影した平面形状は、略矩形であって、その角部が曲面であること、を特徴とする遮光層付き光学シートである。
【００１０】
請求項３の発明は、請求項１又は請求項２に記載の遮光層付き光学シートにおいて、前記曲面は、曲率半径の異なる曲面部分からなること、を特徴とする遮光層付き光学シートである。
【００１１】
請求項４の発明は、請求項１から請求項３までのいずれか１項に記載の遮光層付き光学シート（２０）と、前記遮光層付き光学シート上に形成された濡れ性変化層（３２）と、前記濡れ性変化層上に形成された複数色の画素部（３３Ｒ，３３Ｇ，３３Ｂ）と、を備えたカラーフィルタである。
【発明の効果】
【００１２】
本発明の遮光層付き光学シートは、（１）透明又は半透明の光学基材上に形成された遮光層は、ライン状に形成されたストライプ部と、ストライプ部の片側に所定間隔で形成された突状部とからなり、この突状部を光学基材上に投影した平面形状は、曲面を有するので、この遮光層間に、複数色の画素部を形成する場合に、遮光層間に吐出された複数色を示すインクは、ストライプ部と突状部との境界で一時的に溜まり、その後、突状部に形成された曲面に沿って滑らかに流れ、ストライプ部に回り込むことができ、このため、遮光層間にインクを確実に行き渡らせて、白抜き等の欠損を防止することができる。
また、突状部にインクが吐出された場合であっても、突状部が曲面であるので、インクは、容易に遮光層間に落下することができ、隣り合った画素部に混色が生じないようにできる。
その結果、この光学シートをカラーフィルタなどに使用した場合に、良好なコントラスト及び高い解像度を発揮でき、色抜けや混色のない表示品位のより高い表示装置が実現される。
【００１３】
（２）突状部を光学基材上に投影した平面形状は略矩形であって、その角部が曲面であるので、インクが角部に流れ込んだ場合に、その曲面に沿ってインクが滑らかに突状部を流れ回り込み、遮光層間にインクを確実に行き渡らせることができる。
【００１４】
（３）曲面は、曲率半径の異なる曲面部分からなるので、インクの種類（例えば、粘性）に応じて、曲率半径の曲面部分を形成することにより、複数色の画素部を形成する場合に、インクを遮光層間により短時間で確実に行き渡らせることができる。
【００１５】
（４）本発明のカラーフィルタは、上述した遮光層付き光学シートと、この光学シート上に形成された濡れ性変化層と、濡れ性変化層上に形成された複数色の画素部と、を備えたので、複数色の画素部を形成するときに、複数色を示すインクが遮光層の間に吐出された場合に、突状部の曲面により、インクが遮光層の間に滑らかに流れ込むと共に、確実に行き渡るので、複数の画素部に白抜き等の欠損が生じてないようにできる。
なお、この濡れ性変化層は、例えば、複数色の画素部を形成するためのインクに対して疎水性を示し、インクジェット記録前に、予め光照射によって、複数色の画素部が親水性となるように濡れ性を変化させておく。
また、突状部にインクが吐出された場合であっても、突状部が曲面であるので、インクは、容易に遮光層間に落下することができ、隣り合った画素部に混色が生じないようにできる。
したがって、このカラーフィルタによれば、良好なコントラスト及び高い解像度を発揮でき、色抜けや混色のない表示品位のより高い表示装置が実現される。
【発明を実施するための最良の形態】
【００１６】
本発明は、良好なコントラスト及び高い解像度を発揮するという目的を、ライン状に形成されたストライプ部と、このストライプ部の片側に所定間隔で形成された突状部とからなる遮光層を形成し、この突状部を曲面にすることによって実現する。
【実施例】
【００１７】
以下、図面等を参照して、本発明の実施例をあげて、さらに詳しく説明する。
図１は、本発明の実施例による遮光層付き光学シートを作製するための転写シート１０を示す図である。
【００１８】
転写シート１０は、レーザー光熱転写法により、所定のパターンを、光学基材２１に転写するためのシート（ドナーシート）であって、転写基材１１と、離型層１２と、光熱変換転写層１３などとを備えている。
【００１９】
転写基材１１は、光熱変換転写層１３の担体となるものであって、遮光層の転写のために、レーザー光を照射して加熱が行われるので、レーザー光の透過性、耐熱性などが必要であると共に、後述する光学基材２１（図２）に貼り合わせて使用されかつ使用後には剥離されるので、適度の柔軟性、軽さ、取り扱い性、機械的強度などが必要である。
この転写基材１１は、ポリエステル樹脂などの各種のプラスチック材料を挙げることができ、その厚さは、通常、約２５〜１００μｍの範囲が好適であり、この実施例では、１００μｍのＰＥＴフィルムを用いた。
【００２０】
離型層１２は、転写基材１１から光熱変換転写層１３を剥離するための層である。この離型層１２は、所定の剥離成分を有するＵＶ硬化性のアクリレート樹脂組成物を、例えば、スピンコート法、グラビア印刷法、ダイコーティング法等の常用の塗布方法に従って、転写基材１１の表面に塗布し、ＵＶ硬化させることによって形成することができる。この離型層１２の厚さは、通常、約０．５〜２μｍの範囲が好適であり、この実施例では、１μｍとした。
【００２１】
光熱変換転写層１３は、レーザー光の照射を受けて、その光エネルギーを熱エネルギーに変換し、遮光層に転写される画像成分を溶融させ、光学基材２１の表面に転写及び固着させるための層である。
この光熱変換転写層１３は、光熱変換性を付与するために、カーボンブラック等の光吸収性材料、又は、そのような光吸収性材料を分散して含有する必要があり、硬化目的のため、熱硬化性の成分を含有しているのが好ましく、例えば、カーボンブラック、熱硬化性モノマー又はオリゴマー、硬化剤等をバインダ樹脂中に分散させた層とすることができる。
【００２２】
また、光熱変換転写層１３は、転写性を付与するために、光熱変換作用により加熱されて溶融し、光学基材２１にパターン状に転写される画像成分を含む必要があり、その画像成分をレーザー光熱転写法に従って、光学基材２１の表面に高コントラストで転写し、転写された画像パターンとして固着させることができ、使用後の転写シート１０を光学基材２１から剥離する際に剥離残渣を生じることがない限り、任意の組成で形成することができる。
【００２３】
光熱変換転写層１３の画像成分は、例えば、液晶表示装置のブラックマトリックス上でセパレーションリブとして、又は、ブラックマトリックス兼セパレーションリブとして使用されるので、遮光性と転写性とを考慮に入れた組成にする。ここで、遮光性の向上のためには、一般的に、黒色顔料（カーボンブラック等）やその他の有色顔料を高められた量で添加することや、金属粉などを添加することが挙げられる。
【００２４】
この実施例では、以下の組成のものを使用した。
カーボンブラック              １２部
変成アクリル樹脂              １０部
エポキシ樹脂                    ４部
硬化剤                          ５部
メチルエチルケトン／トルエン  ７０部
【００２５】
この光熱変換転写層１３は、通常、所定の組成を有する樹脂組成物を、例えばスピンコート法、グラビア印刷法、ダイコーティング法等の常用の塗布方法に従って、離型層１２の表面に塗布し、乾燥させることによって形成することができる。光熱変換転写層１３の厚さは、通常、０．１〜２μｍの範囲が好ましく、この実施例では、１．３μｍとした。
【００２６】
なお、転写シート１０としては、光熱変換転写層１３の光熱変換作用により発生する熱が不足する場合には、転写基材１１と光熱変換転写層１３との間に、レーザー光を吸収して熱に変換する光熱変換層をさらに設けてもよい。
【００２７】
図２は、図１の転写シート１０の遮光層の光学基材への転写工程を示した断面図である。
図２（ａ）に示すように、図１に示した転写シート１０を用意し、これを、その光熱変換転写層１３が光学基材２１に密着するようにして重ね合わせる。この光学基材１１は、この実施例では、無アルカリガラス（厚さ：０．７ｍｍ）とした。
次いで、得られた積層体の転写シート１０に対して、転写基材１１の側から、レーザー光Ｌを所定のパターンで照射する。ここで、レーザー光Ｌのパターンは、光学基材２１に転写しようとしている遮光層に対応する。
【００２８】
レーザー光Ｌのパターン照射の結果、転写シート１０の光熱変換転写層１３の光熱変換作用により、光エネルギーが熱エネルギーに変換され、図２（ｂ）に示すように、光熱変換転写層１３の内部に含まれる画像成分１３Ａがパターン状に加熱されて溶融し、光学基材２１に転写され、これに固着される。
なお、画像成分１３Ａが光学基材２１に転写された後、転写シート１０が光学基材２１から剥離される。この剥離条件は、この実施例では、ロール径１００ｍｍ、圧力０として、このロールを１００ｍｍ／ｓｅｃで駆動した。
さらに、転写シート１０が剥離された光学基材２１の画像成分１３Ａを熱硬化させるために、この実施例では、２５０℃雰囲気中に３０分間さらすベーク工程に通した。
【００２９】
図２（ｃ）は、上述したようにして、光学基材２１の上に転写された遮光層１３Ｂを示しており、本実施例による遮光層付き光学シート２０は、例えば、この遮光層１３Ｂと、光学基材２１とを備えている。この遮光層１３Ｂは、上述したベーク工程を経て、光学基材２１に対して強い力で密着している。
ここで、レーザー光Ｌによる転写条件について説明する。
遮光層１３Ｂが、例えば、ライン状に形成されたストライプ部１３ｃａ（図３参照：後述）と、このストライプ部１３ｃａの片側に所定間隔で形成された突状部１３ｃｂ（図３参照：後述）とからなる場合には、ストライプ部１３ｃａに照射されるレーザー光Ｌは、ＹＡＧレーザー（波長１０８４ｎｍ、スポット径２０μｍ、出力３０ｍＷ）であって、ストライプ部１３ｃａ上を１００ｍｍ／ｓｅｃで移動させる。
また、突状部１３ｃｂに照射されるレーザー光Ｌは、ストライプ部１３ｃａに照射する場合に比べると、レーザー光Ｌをパルス発振する点が異なる。さらに、遮光層１３Ｂの枠線に照射するレーザー光Ｌは、ラインビーム（２０μｍ×５ｍｍ）とした。
【００３０】
図３は、本実施例の遮光層付き光学シート２０を模式的に示した正面図である。
遮光層付き光学シート２０は、図示のように、光学基板２１と、この光学基材２１上に所定間隔（ここでは、２００μｍ）で転写された遮光層１３Ｃ（上述した遮光層１３Ｂに対応している）とを備えている（図中（ａ）参照）。なお、この遮光層１３Ｃの間には、後述する複数色（例えば、Ｒ，Ｇ，Ｂ）の画素部（図４参照）が形成される。
遮光層１３Ｃは、例えば、図中（ｂ）に示すように、ライン状に形成されたストライプ部１３ｃａと、このストライプ部１３ｃａの片側に所定間隔で形成された突状部１３ｃｂとからなる。なお、ストライプ部１３ｃａは、遮光層１３層Ｃの長手方向と略直交する方向に沿った厚さ（以下、幅という）２０μｍを有する。突状部１３ｃｂは、遮光層１３層Ｃの長手方向に沿った厚さ（以下、長さという）４０μｍと、幅２０μｍを有する（理由：Ｂ−Ｂ線では、突状部１３ｃｂとストライプ部１３ｃａとが連続的に形成されており、その幅が４０μｍであって、ストライプ部１３ｃａの幅は、上述したように２０μｍであるため）。
【００３１】
ここで、遮光層付き光学シート２０を用いたカラーフィルタ３０（後述）を適用した表示装置（例えば、ＴＦＴ液晶ディスプレイ）を想定して、ストライプ部１３ｃａ、突状部１３ｃｂを説明する。
光学基材２１に液晶層を介して対向する基板に設けられた所望のスイッチング素子（ここでは、ＴＦＴ）に、光学基材２１側からの光が入射してしまうと、ＴＦＴが誤動作してしまう場合がある。このため、突状部１３ｃｂは、ＴＦＴの位置に対向するように、ストライプ部１３ｃａの片側に所定間隔で形成される。
また、複数色の画素部の境界には、その隣り合った画素部の光（ここでは、バックライト）が漏れやすく、その結果、例えば、Ｒ，Ｇ，Ｂの境界が鮮明にならない場合がある。このため、ストライプ部１３ｃａは、複数色の画素部を仕切るためにライン状に形成される。
【００３２】
ここで、突状部１３ｃｂについて、さらに具体的に説明する。
この突状部１３ｃｂを光学基材２１上に投影した平面形状は、図示のように、略矩形であって、その角部は、曲面１３ｃｂ１，１３ｃｂ２を有する。この曲面１３ｃｂ１，１３ｃｂ２は、突状部１３ｃｂに照射される発振パルスのレーザー光Ｌのガウシアン分布による転写条件及び／又は転写シート１０を光学基材２１から剥離するときの剥離条件に対応して形成される。なお、レーザー光Ｌのガウシアン分布とは、レーザー光Ｌのエネルギーは、その中心部が大きく、周辺部が小さくなるように分布することをいい、この実施例では、突状部１３ｃｂの角部が曲面１３ｃｂ１，１３ｃｂ２になるように、適宜その出力等を調整した。
【００３３】
この曲面１３ｃｂ１，１３ｃｂ２によれば、この遮光層１３Ｃ間に、インクジェット記録方式等により複数色の画素部を形成する場合に、これらの複数色を示すインクは、ストライプ部１３ｃａと突状部１３ｃｂとの境界で一時的に溜まり、その後、突状部１３ｃｂに形成された曲面１３ｃｂ１，１３ｃｂ２に沿って滑らかに流れ、ストライプ部１３ｃａに回り込むことができる。このため、遮光層１３Ｃ間にインクを確実に行き渡らせて、白抜き等の欠損を防止することができる。
【００３４】
また、突状部１３ｃｂにインクが吐出された場合であっても、突状部１３ｃｂが曲面１３ｃｂ１，１３ｃｂ２を有するので、インクは、容易に遮光層１３Ｃ間に落下することができ、隣り合った画素部に混色が生じることを防止できる。
その結果、この光学シート２０をカラーフィルタなどに使用した場合に、良好なコントラスト及び高い解像度を発揮でき、色抜けや混色のない表示品位のより高い表示装置が実現される。
【００３５】
また、この遮光層１３Ｃ間に吐出されるインクの種類（例えば、粘性）に応じて、曲面１３ｃｂ１，１３ｃｂ２に、異なる曲率半径の曲面部分を形成してもよい。これにより、複数色の画素部を形成する場合に、インクを遮光層１３Ｃ間により短時間で確実に行き渡らせることができる。
【００３６】
図４は、本実施例によるカラーフィルタを模式的に示した断面図である。なお、以下では、カラーフィルタの製造方法の説明に従い、各部材等についても説明する。
まず、カラーフィルタ３０に用いられる遮光層付き光学シートは、光学基材３１と、この光学基材３１上に転写された遮光層１３Ｃとを備えている。この遮光層１３Ｃは、上述した転写工程（ここでは、転写フィルムを光学基材３１から剥離するまでの工程となる：図２参照）と、上述したベーク工程とにより、光学基材３１上に転写される。
【００３７】
図５は、本実施例による遮光層付き光学シート２０上に、濡れ性変化層を塗布する濡れ性変化層塗布工程を示す図である。
図６は、光学基材３１側からエネルギーを照射するバック露光工程を示す図である。
次に、この遮光層付き光学シート２０上に、濡れ性変化層３２を塗布した後（図５参照）、光学基材３１側からエネルギー３５を照射する（図６参照）。
この濡れ性変化層３２は、エネルギー３５の照射により、濡れ性が変化する層であって、例えば、光触媒作用を有する二酸化チタン等を含む。
ここで、濡れ性とは、濡れ性変化層３２表面における水との接触角をいい、この実施例による濡れ性変化層３２では、エネルギー３５の照射により水との接触角が小さい親水性領域３２Ａを形成する。また、エネルギー３５の照射前は、濡れ性変化層３２は、水との接触角が大きい疎水性領域３２Ｂを形成している。なお、後述するインクＲ，Ｇ，Ｂは、水性インクであるために、親水性領域３２Ａは親インク性となり、同じく、疎水性領域３２Ｂは撥インク性となる。
【００３８】
光学基材３１側からエネルギー３５を照射する場合には、遮光層１３Ｃの凸部上面には、エネルギー３５が照射されないので、この凸部上面に塗布された濡れ性変化層３２は、疎水性領域３２Ｂとなっている。これに対して、遮光層１３Ｃの凸部上面以外（すなわち、遮光層１３Ｃの間であって、以下、開口部という）には、エネルギー３５が照射されるので、この開口部に塗布された濡れ性変化層３２は、親水性領域３２Ａとなっている。
【００３９】
図７は、遮光層１３Ｃの間に、インクＲ，Ｇ，Ｂを吐出する着色工程を示す図である。
次に、赤色、緑色、青色を示すインクＲ，Ｇ，Ｂをインクジェット記録方式により、遮光層１３Ｃの間に形成されたストライプ状の開口部に吐出して、開口部を着色した。これにより、複数色（ここでは、Ｒ、Ｇ、Ｂ）の画素部３３Ｒ，３３Ｇ，３３Ｂを開口部に形成することにより（図中（ａ）参照）、カラーフィルタ３０を製造する。
【００４０】
さらに、遮光層１３Ｃ上に、所望の層（例えば、保護層であるオーバーコート層３４：図４参照）を形成する場合には、画素部３３Ｒ，３３Ｇ，３３Ｂ側からエネルギー３５Ａを照射することにより（図中（ｂ）参照）、濡れ性変化層３２の疎水性領域３２Ｂを親水性領域３２Ａに変化させる。
これにより、カラーフィルタ３０の表面にオーバーコート層３４等の所望の層を形成する場合に、このオーバーコート層３４との密着性を高めることができる（図４参照）。
【００４１】
このように、本実施例のカラーフィルタ３０によれば、複数色の画素部３３Ｒ，３３Ｇ，３３Ｂを形成するときに、複数色を示すインクＲ，Ｇ，Ｂが遮光層１３Ｃ間に吐出された場合に、突状部１３ｃｂの曲面１３ｃｂ１，１３ｃｂ２により、インクＲ，Ｇ，Ｂが画素部３３Ｒ，３３Ｇ，３３Ｂに滑らかに流れ込むと共に、確実に行き渡るので、複数の画素部３３Ｒ，３３Ｇ，３３Ｂに白抜き等の欠損が生じてないようにできる。
また、突状部１３ｃｂにインクＲ，Ｇ，Ｂが吐出された場合であっても、突状部１３ｃｂが曲面１３ｃｂ１，１３ｃｂ２であるので、インクＲ，Ｇ，Ｂは、容易に遮光層１３Ｃ間に落下することができ、隣り合った画素部３３Ｒ，３３Ｇ，３３Ｂに混色が生じないようにできる。
したがって、このカラーフィルタ３０によれば、良好なコントラスト及び高い解像度を発揮でき、色抜けや混色のない表示品位のより高い表示装置が実現される。
【００４２】
（変形例）
以上説明した実施例に限定されることなく、種々の変形や変更が可能であって、それらも本発明の均等の範囲内である。
（１）本実施例の遮光層付き光学シート２０の遮光層１３Ｂ，１３Ｃは、カラーフィルタのセパレーションリブや、液晶表示装置のブラックマトリックス（又はブラックストライプ）を例に説明したが、有機ＥＬ素子の隔壁（バンク）に利用してもよい。
（２）突状部１３ｃｂの曲面形状は、画素部３３Ｒ，３３Ｇ，３３ＢにインクＲ，Ｇ，Ｂが滑らかに流れ込むようにできるのであれば、適宜の曲率半径の曲面部分を有するように、レーザー光Ｌの出力等の転写条件を調整したり、転写シート１０を光学基材２１から剥離するときの剥離条件を適宜調整してもよい。
【図面の簡単な説明】
【００４３】
【図１】本発明の実施例による遮光層付き光学シートを作製するための転写シート１０を示す図である。
【図２】図１の転写シート１０の遮光層の光学基材への転写工程を示した断面図である。
【図３】本実施例の遮光層付き光学シート２０を模式的に示した正面図。
【図４】本実施例によるカラーフィルタを模式的に示した断面図。
【図５】本実施例による遮光層付き光学シート２０上に、濡れ性変化層を塗布する濡れ性変化層塗布工程を示す図。
【図６】光学基材３１側からエネルギーを照射するバック露光工程を示す図。
【図７】遮光層１３Ｃの間に、インクＲ，Ｇ，Ｂを吐出する着色工程を示す図。
【符号の説明】
【００４４】
１０    転写シート
１１    転写基材
１２    離型層
１３    光熱変換転写層
２０    遮光層付き光学シート
２１    光学基材
１３Ｂ，１３Ｃ    遮光層
１３ｃａ    ストライプ部
１３ｃｂ    突状部
３０    カラーフィルタ
３２    濡れ性変化層
３３Ｒ，３３Ｇ，３３Ｂ    画素部
Ｌ    レーザー光
【図１】
2005173219.tif 000003
【図２】
2005173219.tif 000004
【図３】
2005173219.tif 000005
【図４】
2005173219.tif 000006
【図５】
2005173219.tif 000007
【図６】
2005173219.tif 000008
【図７】
2005173219.tif 000009